(57)【要約】      （修正有）【課題】  一番多く使われているローラー塗装機であるが、ローラーに浸透した塗料がボタ落ちする、ローラーの回転を利用しての塗装であるため回転の遠心力で塗料が細かい粒状になって広範囲に飛び散ると言う欠点を持っている。従ってこれらの欠点を防止するため広範囲の丁寧な養生を施してから塗装工事をしなければならないと言う手間とコストが必要であり塗装完了後には養生材のほとんどがゴミとなりすてられていた。又ローラーは円形であると言う構造上、隅の部分は塗る事ができず刷毛などと併用しての塗装方法。【解決手段】  ローラーを２個付け上部ローラーで塗装を下部ローラーで塗装面の均一とボタ落ちの防止の機能を持たせる。又２個のローラーにカバーを付ける事により飛び散りを防止し、カバーの先端部を稼動式にして塗装不可部分に押しつける事によりローラーと先端フェルト様部分が圧着変形して隅まで一つの道具で養生無しでの塗装が可能となった。【選択図】図１
2006015318.tif 000002
【特許請求の範囲】
【請求項１】
平行に等間隔で並んだ２個のローラーを持ち、上部のローラーに塗料を浸透付着させ主に塗装面に塗装を施す機能を持たせ、下部ローラーには上部ローラーから漏れ出した塗料を受けとめる機能及び上部ローラーによる塗装面の塗料付着をある程度一定厚にして一定の奇麗な塗装面にする機能を持たせた事を特徴とするローラー塗装機である。
【請求項２】
２個のローラーの塗装面に平行する部分とローラーの側面の内、塗装面に圧着して伸縮する部分を残して台形の形状をしたカバーで覆い、又その台形の上部ローラーに近い先端部を台形の上部の頂点を起点として前後に稼動する構造とし稼動部の一番先端部分には  伸縮する保水性のあるフェルト様なものを取付けた構造とし、塗装不可部分に押しつける事により稼動するカバーの部分が塗装不可部分を遮ると言う構造を特徴とする塗装機である。
【発明の詳細な説明】
【発明の詳細な説明】
【技術分野】
【０００１】  本発明は従来型のローラー塗装機の回転の遠心力による飛び散り、又塗料のボタ落ち又ローラーでは隅の塗装が出来ないと言う欠点を無くした塗装機である。
【背景技術】
【０００２】  プロの塗装職人においても、又日曜大工的な素人の塗装においてもローラーによる塗装はもっとも多く使われている塗装手段である。しかし従来型ローラーはその回転による遠心力による飛び散り、又塗料の浸透したローラーからのボタ落ちが必ず起き、結構大規模な養生をしてから塗装すると言うのが一般的である。又従来型ローラーでの塗装は塗装面全体の４隅の全幅、全高、又換気扇その他の際部分は塗装出来ず、別の刷毛を使っての塗装が一般的に行なわれている。
【発明が解決しようとする課題】
【０００３】  ローラーの回転による遠心力による飛び散りは広範囲に床、家具、各種器具に及び、又塗装工事を行なう本人の髪の毛、顔、手、腕にも容赦なく飛び散った塗料が付着する。これはローラーの回転を利用している以上遠心力で塗料が飛び散る事は避けられない出来事である。
【０００４】  塗装面はそのほとんどが凸凹している。その凹の底部にも確実に塗料を付着させようとするとローラーを押しつける必要がある。その時ローラーに浸透した塗料がボタ落ちして床等を汚すと言う事は通常よく起こる出来事である。
【０００５】  ローラーは必ず円形をしている。そのため例え養生をしても壁と天井の境目、各種器具のついた際、入り隅コーナー等は塗装できず、それらの部分は刷毛などの別の塗装道具を使用しなければならない。ローラーと刷毛では塗料の乗り方や仕上がりに差があり、技術を要し塗りムラになりやすい。
【０００６】  上記のような理由により、比較的早く奇麗に仕上がるローラーによる塗装であるがかなりの部分に丁寧な養生を施してからでないと塗装工事が出来ない。
【０００７】  本発明は上記のような欠点を全て解決し、素人であっても比較的簡単に壁、天井を問わず全ての部分で簡単、早い、汚れない、汚さない、養生もほとんど不要と言うローラー塗装機を提供するものである。
【課題を解決するための手段】
【０００８】  この新しい発想で作られたローラー塗装機は上下に平行して等間隔で２個のローラーを有し、上部ローラーは通常の塗料を浸透付着させ塗装面を塗ると言う機能を持ち、下部ローラーは上部ローラーからボタ落ちした塗料を受けて塗装面につける役割と上部ローラーの塗った後を後追いで奇麗に均すと言う役割を有している。２個のローラーを持つ事によりボタ落ちを防ぎ、通常数度往復して塗装すると言う施行手順をほとんど半分の往復工程で奇麗な安定した塗装面にすることが出来る。
【０００９】  ２個のローラーの内、上部ローラーはスポンジローラー又はスポンジローラーの表面に３ミリ程度の毛足のついた浸透性のある繊維を全周に巻いた形状が最適である。つまり伸縮性を持ったローラーが最適である。下部ローラーは市販の全ての塗装用ローラーで対応出来る。これら２個のローラーの塗装面と向き合わない全ての部分をローラーの側面から見て台形のカバーで覆う。又カバーの前部先端部は稼動式にして稼動部分の先端に伸縮性と保水性のあるフェルト様のものを付ける。そして例えば窓枠のような塗装不可部分に先端の稼動部分を前部と下部に押しつける事によりフェルト様の部分と上部ローラー部分が変形して塗装面に対して平面になり、又ローラー部分からしみ出た塗料が瞬時にフェルト部分に移動して際の塗装が養生なしで可能となる。
【００１０】  通常塗装時にはローラーは塗装面に対して押しつけられている。そのため例えば壁面の塗装時には壁とカバー最下部との隙間は５ミリ前後でありカバーによりローラー回転時の飛び散りは完全に防げる。又天井塗装時はカバーがローラーを下から受ける形になるためボタ落ちや飛び散りも完全に防ぐ事が出来る。
【００１１】  ローラーは大部分では上下に往復して使用する。しかし場合によっては横にして横向きに往復させて使う事もある。この場合でもローラーから飛び散った塗料がある程度カバー内にたまっていても許容範囲を超えた状態では下部ローラーに付着して塗装面に塗りつけられる。又カバーの塗装面と対面する部分では稼動部を除きカバーの端部３方向は袋状になっており例え横向きに使用してもカバーからこぼれ落ちる事はない。
【００１２】  際の塗装においてほんの５ミリ程度がフェルト様の部分から塗装面に塗られ、残りはローラーの回転で塗られるため従来のような道具の違いによる塗装面の仕上がりの違いが目で見て確認出来ないほど奇麗な仕上がりになる。
【発明を実施するための最良の形態】
【００１３】  まず図で順番を追って塗装工程を説明する。まず図１（Ａ）の上部ローラーに皿様の塗料トレーから塗料をつける。図１（Ｂ）は壁に塗装している図であるがこのようにローラーを塗装面に圧着して塗装するのが一般的である。この時上部ローラーから漏れた塗料は下部ローラーに吸収され下部ローラーに吸収された塗料が許容限度を超えたときは下部ローラーからも塗装面に塗装される。又主に上部ローラーまれに下部ローラーから回転による飛び散った塗料も台形をしたカバ内に完全に収まり塗装不可部分に付着しない。【００１４】  一般的には天井、壁等に関わらず塗装不可部分は塗装面に対して飛び出した形が大部分である。これらの飛び出した部分の際を塗る場合は図２（Ｃ）のようにカバー先端部を押しつける事により上部ローラーとフェルト様部分がお互いに押し合い変形して密着し塗装面に対しての圧力も加わり平面状になり又上部ローラーから塗料がしみ出し毛細管現象と圧力により瞬時にフェルト様部分から塗料が塗装面に塗られる。又塗装不可部分とカバー先端部は全体が接触せず最先端部分のみ線上に密着するため塗装不可部分に養生をしなくても塗料が付着する事は起こらない。
【発明の効果】
【００１５】  以上の説明の通り、従来型ローラー塗装機の欠点を全て解決し、早く奇麗なムラの無い塗装、養生がほとんど不要で汚れない、汚さないと言う塗装工事が可能となった。
【図面の簡単な説明】
【図１】  （Ａ）は本発明の塗装機の側面図である。（Ｂ）は実際に壁面を塗装している状態の図である。
【図２】  （Ｃ）は塗装不可部分の実際の塗装状態での図である。（Ｄ）は塗装面と向き合う塗装機下部の平面図である。
【図３】  （Ｅ）はローラーと平行したもう一方の側面の後方がら見た図である
【符号の説明】
１、上部ローラー
２、下部ローラー
３、カバー
４、先端部稼動カバー
５、ジャバラ
６、ローラー心棒
７、柄
８、先端部フェルト様吸収繊維
９、カバー下部吸収繊維
１０、壁面
１１、塗装不可部分
【図１】
2006015318.tif 000003
【図２】
2006015318.tif 000004
【図３】
2006015318.tif 000005